(57)【特許請求の範囲】
【請求項１】
室内へ外気を給気する外気経路と、室内からの還気を排気する還気経路と、外気経路の外気から湿気を収着し、還気経路の還気により湿気を脱着させて再生するデシカントブロックと、デシカントブロックが外気経路に接続する収着状態とデシカントブロックが還気経路に接続する再生状態とを切り替える収脱切替部とを備え、
外気経路は、外気を取り込む外気口に続く上流側外気経路と、室内へ外気を給気する給気口に続く下流側外気経路とを有し、還気経路は、室内からの還気を取り込む還気口に続く上流側還気経路と、室内からの還気を排気する排気口に続く下流側還気経路とを有し、収脱切替部は、第１のデシカントブロックを配置する第１デシカントチャンバーと、第２のデシカントブロックを配置する第２デシカントチャンバーと、
上流側外気経路が第１デシカントチャンバーに接続する第１外気接続口と、下流側還気経路が第１デシカントチャンバーに接続する第１排気接続口と、第１外気接続口を閉鎖する位置と第１排気接続口を閉鎖する位置とにわたって扉体がスライドする第１スライド扉装置と、
下流側外気経路が第１デシカントチャンバーに接続する第１給気接続口と、上流側還気経路が第１デシカントチャンバーに接続する第１還気接続口と、第１給気接続口を閉鎖する位置と第１還気接続口を閉鎖する位置とにわたって扉体がスライドする第２スライド扉装置と、
上流側外気経路が第２デシカントチャンバーに接続する第２外気接続口と、下流側還気経路と第２デシカントチャンバーに接続する第２排気接続口と、第２外気接続口を閉鎖する位置と第２排気接続口を閉鎖する位置とにわたって扉体がスライドする第３スライド扉装置と、
下流側外気経路が第２デシカントチャンバーに接続する第２給気接続口と、上流側還気経路が第２デシカントチャンバーに接続する第２還気接続口と、第２給気接続口を閉鎖する位置と第２還気接続口を閉鎖する位置とにわたって扉体がスライドする第４スライド扉装置とを備え、
第１スライド扉装置と第２スライド扉装置と第３スライド扉装置と第４スライド扉装置は、扉体のスライド方向で扉枠体と扉体とに対向して配置され、両者の間を封止する圧接封止材と、扉体のスライド方向で扉枠体と扉体とに摺接して配置され、両者の間を封止する摺接封止材を備えることを特徴とする静止型デシカント空調機。
【請求項２】
室内へ外気を給気する外気経路と、室内からの還気を排気する還気経路と、外気経路の外気から湿気を収着し、還気経路の還気により湿気を脱着させて再生するデシカントブロックと、デシカントブロックが外気経路に接続する収着状態とデシカントブロックが還気経路に接続する再生状態とを切り替える収脱切替部とを備え、
外気経路は、外気を取り込む外気口に続く上流側外気経路と、室内へ外気を給気する給気口に続く下流側外気経路とを有し、還気経路は、室内からの還気を取り込む還気口に続く上流側還気経路と、室内からの還気を排気する排気口に続く下流側還気経路とを有し、収脱切替部は、第１のデシカントブロックを配置する第１デシカントチャンバーと、第２のデシカントブロックを配置する第２デシカントチャンバーと、
上流側外気経路が第１デシカントチャンバーに接続する第１外気接続口と、下流側還気経路が第１デシカントチャンバーに接続する第１排気接続口と、第１外気接続口を閉鎖する位置と第１排気接続口を閉鎖する位置とにわたって扉体がスライドする第１スライド扉装置と、
下流側外気経路が第１デシカントチャンバーに接続する第１給気接続口と、上流側還気経路が第１デシカントチャンバーに接続する第１還気接続口と、第１給気接続口を閉鎖する位置と第１還気接続口を閉鎖する位置とにわたって扉体がスライドする第２スライド扉装置と、
上流側外気経路が第２デシカントチャンバーに接続する第２外気接続口と、下流側還気経路と第２デシカントチャンバーに接続する第２排気接続口と、第２外気接続口を閉鎖する位置と第２排気接続口を閉鎖する位置とにわたって扉体がスライドする第３スライド扉装置と、
下流側外気経路が第２デシカントチャンバーに接続する第２給気接続口と、上流側還気経路が第２デシカントチャンバーに接続する第２還気接続口と、第２給気接続口を閉鎖する位置と第２還気接続口を閉鎖する位置とにわたって扉体がスライドする第４スライド扉装置とを備え、
第１スライド扉装置と第２スライド扉装置と第３スライド扉装置と第４スライド扉装置は、扉体が第１のデシカントブロックもしくは第２のデシカントブロックに対向する内側面に断熱材を有することを特徴とする静止型デシカント空調機。
【請求項３】
第１スライド扉装置と第３スライド扉装置とを連動して開閉する第１駆動部と、第２スライド扉装置と第４スライド扉装置とを連動して開閉する第２駆動部を備えることを特徴とする請求項１または２に記載の静止型デシカント空調機。
【請求項４】
第１スライド扉装置と第２スライド扉装置と第３スライド扉装置と第４スライド扉装置とを連動して開閉する１つの全連動駆動部を備えることを特徴とする請求項１または２に記載の静止型デシカント空調機。
【発明の詳細な説明】
【技術分野】
【０００１】
本発明は、静止型デシカント空調機に関し、デシカントブロックへ流れる気流の流路を切り替える技術に係るものである。
【背景技術】
【０００２】
この種の技術としては、特許文献１に記載するものがある。これは、水分吸着手段と駆動手段を有した調湿ユニットである。水分吸着手段は、吸着流路に位置するときは空気の流れの水分を吸着して、水分吸着後に再生流路に移動し、再生流路に位置するときは加熱手段の下流に配置され、加熱手段で加熱された空気の流れによって水分を脱着して、水分脱着後に前記吸着流路に移動する。駆動手段は、水分吸着手段を吸着流路から再生流路へ、再生流路から吸着流路へと順次移動させるものである。
【０００３】
特許文献２に記載するものは、空気が導入されるケーシングと、ケーシング内に区画されて、空気の調湿を行うための調湿手段がそれぞれ設けられた複数の調湿室と、各調湿室と連通して空気が流入又は流出する複数の空気流通口において、そのそれぞれを開閉する複数のダンパとを備えている。
【先行技術文献】
【特許文献】
【０００４】
【特許文献１】特開２０１１−４３２９５号公報
【特許文献２】特開２００９−５２８３２号公報
【発明の概要】
【発明が解決しようとする課題】
【０００５】
上記した特許文献１の構成では、水分吸着手段が移動する構成であり、その移動のための装置が大掛かりとなり、エネルギーコストが高くなる。
また、水分吸着手段が吸着流路から再生流路へ、再生流路から吸着流路へ移動する途中において上流側の水分吸着手段と下流側の水分吸着手段が気流の流れ方向において重なる状態となり、再生流路および吸着流路のそれぞれの半分が開放された状態となる。このとき、吸着流路においては、湿気を含んだ空気の一部が水分吸着手段を通ることなく、未処理の状態で給気されることになる。
【０００６】
さらに、再生流路側においては、上流側の水分吸着手段が湿気を含んだ状態で吸着流路から再生流路に移動し、再生を終えた下流側の水分吸着手段が再生流路から吸着流路へ移動する場合に、上流側の水分吸着手段を通過した湿気を含んだ再生用の加熱空気が再生を終えた下流側の水分吸着手段に流入し、再生を終えた下流側の水分吸着手段が吸着流路に到達する前に再生流路において湿気を吸着することになる。
【０００７】
特許文献２の構成では、複数の羽根を有するダンパを使用しており、回転運動する羽根の辺縁を封止することは困難であり、エアーリークが発生し易く、羽根に断熱材を配置できないので、閉じたダンパを通して熱ロスが発生する。
【０００８】
また、複数の羽根を同時に回転させるために大きなトルクを必要とし、このトルクを確保するためにモータの回転数を低くせねばならないので、ダンパの動作速度が遅くなる。このため、流路の切り替え途中において再生用の空気と吸着処理対象の空気とが混じることになり、再生および吸着の効率が低下する。さらに、流路毎にダンパを駆動するためのモータが必要であり、モータが多くなる。
【０００９】
本発明は上記課題を解決するものであり、少ない動力で短時間に流路の切り替えを行なうことで再生用の空気と吸着処理対象の空気が混じりあうことを抑制でき、かつエアリークを十分に防止して気密性と除湿性と断熱性を向上させることができる静止型デシカント空調機を提供することを目的とする。
【課題を解決するための手段】
【００１０】
上記課題を解決するために、本発明の静止型デシカント空調機は、室内へ外気を給気する外気経路と、室内からの還気を排気する還気経路と、外気経路の外気から湿気を収着し、還気経路の還気により湿気を脱着させて再生するデシカントブロックと、デシカントブロックが外気経路に接続する収着状態とデシカントブロックが還気経路に接続する再生状態とを切り替える収脱切替部とを備え、外気経路は、外気を取り込む外気口に続く上流側外気経路と、室内へ外気を給気する給気口に続く下流側外気経路とを有し、還気経路は、室内からの還気を取り込む還気口に続く上流側還気経路と、室内からの還気を排気する排気口に続く下流側還気経路とを有し、収脱切替部は、第１のデシカントブロックを配置する第１デシカントチャンバーと、第２のデシカントブロックを配置する第２デシカントチャンバーと、上流側外気経路が第１デシカントチャンバーに接続する第１外気接続口と、下流側還気経路が第１デシカントチャンバーに接続する第１排気接続口と、第１外気接続口を閉鎖する位置と第１排気接続口を閉鎖する位置とにわたって扉体がスライドする第１スライド扉装置と、下流側外気経路が第１デシカントチャンバーに接続する第１給気接続口と、上流側還気経路が第１デシカントチャンバーに接続する第１還気接続口と、第１給気接続口を閉鎖する位置と第１還気接続口を閉鎖する位置とにわたって扉体がスライドする第２スライド扉装置と、上流側外気経路が第２デシカントチャンバーに接続する第２外気接続口と、下流側還気経路と第２デシカントチャンバーに接続する第２排気接続口と、第２外気接続口を閉鎖する位置と第２排気接続口を閉鎖する位置とにわたって扉体がスライドする第３スライド扉装置と、下流側外気経路が第２デシカントチャンバーに接続する第２給気接続口と、上流側還気経路が第２デシカントチャンバーに接続する第２還気接続口と、第２給気接続口を閉鎖する位置と第２還気接続口を閉鎖する位置とにわたって扉体がスライドする第４スライド扉装置とを備え、
第１スライド扉装置と第２スライド扉装置と第３スライド扉装置と第４スライド扉装置は、扉体のスライド方向で扉枠体と扉体とに対向して配置され、両者の間を封止する圧接封止材と、扉体のスライド方向で扉枠体と扉体とに摺接して配置され、両者の間を封止する摺接封止材を備えることを特徴とする。
本発明の静止型デシカント空調機は、室内へ外気を給気する外気経路と、室内からの還気を排気する還気経路と、外気経路の外気から湿気を収着し、還気経路の還気により湿気を脱着させて再生するデシカントブロックと、デシカントブロックが外気経路に接続する収着状態とデシカントブロックが還気経路に接続する再生状態とを切り替える収脱切替部とを備え、外気経路は、外気を取り込む外気口に続く上流側外気経路と、室内へ外気を給気する給気口に続く下流側外気経路とを有し、還気経路は、室内からの還気を取り込む還気口に続く上流側還気経路と、室内からの還気を排気する排気口に続く下流側還気経路とを有し、収脱切替部は、第１のデシカントブロックを配置する第１デシカントチャンバーと、第２のデシカントブロックを配置する第２デシカントチャンバーと、上流側外気経路が第１デシカントチャンバーに接続する第１外気接続口と、下流側還気経路が第１デシカントチャンバーに接続する第１排気接続口と、第１外気接続口を閉鎖する位置と第１排気接続口を閉鎖する位置とにわたって扉体がスライドする第１スライド扉装置と、下流側外気経路が第１デシカントチャンバーに接続する第１給気接続口と、上流側還気経路が第１デシカントチャンバーに接続する第１還気接続口と、第１給気接続口を閉鎖する位置と第１還気接続口を閉鎖する位置とにわたって扉体がスライドする第２スライド扉装置と、上流側外気経路が第２デシカントチャンバーに接続する第２外気接続口と、下流側還気経路と第２デシカントチャンバーに接続する第２排気接続口と、第２外気接続口を閉鎖する位置と第２排気接続口を閉鎖する位置とにわたって扉体がスライドする第３スライド扉装置と、下流側外気経路が第２デシカントチャンバーに接続する第２給気接続口と、上流側還気経路が第２デシカントチャンバーに接続する第２還気接続口と、第２給気接続口を閉鎖する位置と第２還気接続口を閉鎖する位置とにわたって扉体がスライドする第４スライド扉装置とを備え、
第１スライド扉装置と第２スライド扉装置と第３スライド扉装置と第４スライド扉装置は、扉体が第１のデシカントブロックもしくは第２のデシカントブロックに対向する内側面に断熱材を有することを特徴とする。
【００１１】
本発明の静止型デシカント空調機において、第１スライド扉装置と第３スライド扉装置とを連動して開閉する第１駆動部と、第２スライド扉装置と第４スライド扉装置とを連動して開閉する第２駆動部を備えることを特徴とする。
【００１２】
本発明の静止型デシカント空調機において、第１スライド扉装置と第２スライド扉装置と第３スライド扉装置と第４スライド扉装置とを連動して開閉する１つの全連動駆動部を備えることを特徴とする。
【発明の効果】
【００１５】
以上のように本発明によれば、第１、第２、第３、第４スライド扉装置は扉体がスライドする構成をなすことにより、短時間に流路の切り替えを行なって再生用の空気と吸着処理対象の空気が混じり合うことを抑制できる。すなわち、従来のように回転軸廻りに羽根が回転する場合には羽根荷重に抗して複数の羽根を同時に回転させるために大きなトルクを必要とし、このトルクを確保するためにモータの回転数を低くして羽根の開閉速度を遅くする必要がある。しかしながら、本発明においては、扉体荷重をレール等で支えながら扉体を直線運動させるので、扉体の開閉に要する力が少なくなり、速い速度で扉体を開閉することが実現できる。
【００１６】
また、第１駆動部により第１スライド扉装置と第３スライド扉装置が連動して開閉し、第２駆動部により第２スライド扉装置と第４スライド扉装置が連動して開閉するので、少ない動力機器で構成できる。
【００１７】
また、１つの全連動駆動部により第１スライド扉装置と第２スライド扉装置と第３スライド扉装置と第４スライド扉装置が連動して開閉するので、少ない動力機器で構成できる。
【００１８】
また、圧接封止材が扉体のスライド方向で扉枠体と扉体の間を封止し、摺接封止材が扉体のスライド方向に沿って扉枠体と扉体の間を封止するので、エアリークを十分に防止して気密性と除湿性と断熱性を向上させることができる。
【００１９】
また、扉体がデシカントブロックに対向する内側面に断熱材を有するで、断熱性を向上させることができる。
【図面の簡単な説明】
【００２０】
【図１】本発明の実施の形態における静止型デシカント空調機の流路切替装置を示す正面図
【図２】同静止型デシカント空調機の流路切替装置を示す下面図
【図３】同静止型デシカント空調機の流路切替装置を示す側面図
【図４】同静止型デシカント空調機の流路切替装置の要部を示す要部拡大図
【図５】同静止型デシカント空調機の構成を示す模式図
【図６】同静止型デシカント空調機の斜視図
【図７】同静止型デシカント空調機の要部を示す斜視図
【発明を実施するための形態】
【００２１】
以下、本発明の実施の形態を図面に基づいて説明する。図５から図７において、静止型デシカント空調機は、ケーシング１に設けた外気ＯＡを取り込む外気口２、室内へ外気ＯＡを給気ＳＡとして供給する給気口３、室内からの還気ＲＡを取り込む還気口４、室内からの還気ＲＡを排気ＥＡとして排出する排気口５を有しており、ここでは外気口２から給気口３までの通気路を外気経路６とし、還気口４から排気口５までの通気路を還気経路７として説明する。
【００２２】
外気経路６および還気経路７の途中には収脱切替部８０を設けており、外気経路６は収脱切替部８０を境として、外気口２に続く上流側外気経路６１と、給気口３に続く下流側外気経路６２からなり、還気経路７は収脱切替部８０を境として、還気口４に続く上流側還気経路７１と、排気口５に続く下流側還気経路７２からなる。
【００２３】
収脱切替部８０は内部空間が仕切板８１で上下に仕切られており、上部空間をなす第１デシカントチャンバー８２に第１のデシカントブロック８３を配置し、下部空間をなす第２デシカントチャンバー８４に第２のデシカントブロック８５を配置している。
【００２４】
第１デシカントチャンバー８２は、上流側外気経路６１と第１デシカントチャンバー８２との接続口なす第１外気接続口９１と、下流側外気経路６２と第１デシカントチャンバー８２との接続口をなす第１給気接続口９２と、上流側還気経路７１と第１デシカントチャンバー８２との接続口をなす第１還気接続口９３と、下流側還気経路７２と第１デシカントチャンバー８２との接続口をなす第１排気接続口９４を備えており、第１外気接続口９１と第１排気接続口９４とにわたって設けた第１スライド扉装置８０１と、第１給気接続口９２と第１還気接続口９３とにわたって設けた第２スライド扉装置８０２を設けている。
【００２５】
第１スライド扉装置８０１は扉体９０１が第１外気接続口９１を閉鎖する位置と第１排気接続口９４を閉鎖する位置とにわたってスライドし、第２スライド扉装置８０２は扉体９０１が第１給気接続口９２を閉鎖する位置と第１還気接続口９３を閉鎖する位置とにわたってスライドする。
【００２６】
第２デシカントチャンバー８４は、上流側外気経路６１と第２デシカントチャンバー８４との接続口をなす第２外気接続口９５と、下流側外気経路６２と第２デシカントチャンバー８４との接続口をなす第２給気接続口９６と、上流側還気経路７１と第２デシカントチャンバー８４との接続口をなす第２還気接続口９７と、下流側還気経路７２と第２デシカントチャンバー８４との接続口をなす第２排気接続口９８を備えており、第２外気接続口９５と第２排気接続口９８とにわたって設けた第３スライド扉装置８０３と、第２給気接続口９６と第２還気接続口９７とにわたって設けた第４スライド扉装置８０４を設けている。
【００２７】
第３スライド扉装置８０３は扉体９０１が第２外気接続口９５を閉鎖する位置と第２排気接続口９８を閉鎖する位置とにわたってスライドし、第４スライド扉装置８０４は扉体９０１が第２給気接続口９６を閉鎖する位置と第２還気接続口９７を閉鎖する位置とにわたってスライドする。第１スライド扉装置８０１、第２スライド扉装置８０２、第３スライド扉装置８０３、第４スライド扉装置８０４については後に詳述する。
【００２８】
次に、上流側外気経路６１には上流側から下流側へ順次に、プレフィルタ６１１、中性能フィルタ６１５、予冷（予熱）コイル６１２、乾球温度計からなる出口温度計６１３を設けており、予冷（予熱）コイル６１２の冷媒供給路に電動弁６１４を設けている。
【００２９】
下流側外気経路６２には上流側から下流側へ順次に、冷却コイル６２１、加熱コイル６２２、気化式加湿器６２３、給気ファン６２４を設けており、冷却コイル６２１の冷媒供給路に電動弁６２５を設け、加熱コイル６２２の熱媒供給路に電動弁６２６を設け、気化式加湿器６２３に操作部６２７を設けている。
【００３０】
給気口３に接続した給気路３１は外気経路６の一部をなし、給気路３１には下流側外気経路６２を通過する調湿後の外気ＯＡ、すなわち給気ＳＡの露点温度を測定する露点計３１１と、給気ＳＡの温度を測定する乾球温度計からなる給気温度計３１２を設けている。
【００３１】
上流側還気経路７１には加熱コイル７１１と、加熱コイル出口温度を測定する乾球温度計からなる再生入口温度計７１３を設けており、加熱コイル７１１の熱媒供給路に電動弁７１２を設けている。
【００３２】
下流側還気経路７２には上流側から下流側へ順次に、乾球温度計からなる再生出口温度計７２１と、排気ファン７２２を設けている。
給気温度計３１２および冷却コイル６２１の電動弁６２５と加熱コイル６２２の電動弁６２６とで冷却コイル６２１および加熱コイル６２２を制御する給気温度制御部を構成しており、露点計３１１と操作部６２７とで気化式加湿器６２３を制御する給気湿度制御部を構成している。
【００３３】
また、露点計３１１と予冷（予熱）コイル６１２の電動弁６１４とで予冷（予熱）コイル６１２を制御する調湿負荷制御部を構成し、再生入口温度計７１３と加熱コイル７１１の電動弁７１２とで加熱コイル７１１を制御する再生温度制御部を構成している。
【００３４】
次に、第１スライド扉装置８０１と第３スライド扉装置８０３は第１駆動部１０１により連動して開閉動作し、第２スライド扉装置８０２と第４スライド扉装置８０４は第２駆動部１０２により連動して開閉動作する。出口温度計６１３と再生出口温度計７２１と第１駆動部１０１と第２駆動部１０２とで、第１スライド扉装置８０１、第２スライド扉装置８０２、第３スライド扉装置８０３、第４スライド扉装置８０４を開閉を制御する収脱切替制御部を構成している。
【００３５】
第１スライド扉装置８０１、第２スライド扉装置８０２、第３スライド扉装置８０３、第４スライド扉装置８０４は、図１から図４に示すものである。
本体フレーム９０２は、第１外気接続口９１、第１給気接続口９２、第１還気接続口９３、第１排気接続口９４、第２外気接続口９５、第２給気接続口９６、第２還気接続口９７、第２排気接続口９８のそれぞれを囲んで配置してあり、本体フレーム９０２に扉枠体９０３が装着してある。
【００３６】
扉体９０１は一枚の板状体をなし、かつ接続口に向かって開放された凹部状をなしており、扉枠体９０３の内部に配置してある。扉体９０１は、その上縁辺に設けたガイドローラ９０４を扉枠体９０３の上部溝部９０５が案内し、扉体９０１の下縁辺に設けた戸車９０６ａが扉枠体９０３の下部溝部９０６の内部に配置したレール９０７の上を走行するものである。扉枠体９０３の上部溝部９０５、下部溝部９０６、側部溝部９０８の開口縁に設けた摺接封止材をなす摺接パッキン９０９が扉体９０１のスライド方向で扉枠体９０３と扉体９０１とに摺接して配置され、両者の間を封止している。扉枠体９０３の側部溝部９０８の内部に配置した圧接封止材をなす圧接パッキン９１０が扉体９０１のスライド方向で扉枠体９０３と扉体９０１とに対向して配置され、両者の間を封止している。扉枠体９０３の仕切り板９０３ａが扉体９０１の内部に突出しており、仕切り板９０３ａはスライド方向において扉体９０１の内部側面に設けたパッキン９０３ｂに当接し、両者の間を封止する。扉体９０１は第１のデシカントブロック８３もしくは第２のデシカントブロック８５に対向する内側面の全面に断熱材９１１が設けてある。
【００３７】
第１駆動部１０１および第２駆動部１０２は同様の構成であり、ここでは第１スライド扉装置８０１と第３スライド扉装置８０３を連動して開閉する第１駆動部１０１について説明する。
【００３８】
第１駆動部１０１は、第１スライド扉装置８０１の扉体９０１と第３スライド扉装置８０３の扉体９０１の同側辺部に接続した左右一対の索体９１２と、索体９１２を案内するプーリー９１３と、索体９１２を駆動するモータプーリー９１４およびモータ９１５と、索体９１２の展張装置９１６を備えている。第１スライド扉装置８０１と第２スライド扉装置８０２と第３スライド扉装置８０３と第４スライド扉装置８０４とを連動して開閉する全連動駆動部を設けることも可能である。
【００３９】
索体９１２はワイヤー、チェーン、ベルト等の何れでも良く、索体９１２を用いずにラックピニオン等によりモータ９１５で駆動することも可能である。扉体９０１は水平方向への移動のみならず上下方向に移動させることも可能である。
【００４０】
第１駆動部１０１は、モータ９１５の駆動により第１スライド扉装置８０１の扉体９０１と第３スライド扉装置８０３の扉体９０１が相反する方向にスライドする。すなわち、第１スライド扉装置８０１の扉体９０１が第１外気接続口９１を閉鎖し、第１排気接続口９４を開放する位置にあると、第３スライド扉装置８０３の扉体９０１が第２外気接続口９５を開放し、第２排気接続口９８を閉鎖する位置にあり、第１スライド扉装置８０１の扉体９０１が第１外気接続口９１を開放し、第１排気接続口９４を閉鎖する位置にあると、第３スライド扉装置８０３の扉体９０１が第２外気接続口９５を閉鎖し、第２排気接続口９８を開放する位置にある。
【００４１】
同様に、第２駆動部１０２は、モータ９１５の駆動により第２スライド扉装置８０２の扉体９０１と第４スライド扉装置８０４の扉体９０１が相反する方向にスライドする。すなわち、第２スライド扉装置８０２の扉体９０１が第１給気接続口９２を閉鎖し、第１還気接続口９３を開放する位置にあると、第４スライド扉装置８０４の扉体９０１が第２給気接続口９６を開放し、第２還気接続口９７を閉鎖する位置にあり、第２スライド扉装置８０２の扉体９０１が第１給気接続口９２を開放し、第１還気接続口９３を閉鎖する位置にあると、第４スライド扉装置８０４の扉体９０１が第２給気接続口９６を閉鎖し、第２還気接続口９７を開放する位置にある。
【００４２】
次に、収脱切替制御部は、出口温度計６１３で測定する予冷コイル出口温度が設定出口温度に達した時に、収脱切替部８０を制御して第１使用状態と第２使用状態を切り替え制御する。
【００４３】
第１使用状態では、第１外気接続口９１、第１給気接続口９２、第２還気接続口９７、第２排気接続口９８を開放し、第２外気接続口９５、第２給気接続口９６、第１還気接続口９３、第１排気接続口９４を閉鎖し、第１デシカントチャンバー８２の第１デシカントブロック８３が外気経路６に接続して収着状態をなすとともに、第２デシカントチャンバー８４の第２デシカントブロック８５が還気経路７に接続して再生状態をなす。
【００４４】
第２使用状態では、第１外気接続口９１、第１給気接続口９２、第２還気接続口９７、第２排気接続口９８を閉鎖し、第２外気接続口９５、第２給気接続口９６、第１還気接続口９３、第１排気接続口９４を開放し、第１デシカントチャンバー８２の第１デシカントブロック８３が還気経路７に接続して再生状態をなすとともに、第２デシカントチャンバー８４の第２デシカントブロック８５が外気経路６に接続して収着状態をなす。
【００４５】
上述したように、第１、第２，第３，第４スライド扉装置８０１、８０２、８０３、８０４は、一枚の板状体をなす扉体９０１がスライドする構成をなすことにより、固定部材である扉枠体９０３とのシール必要部位が減少して気密性が高くなり、かつ短時間に流路の切り替えを行なって再生用の空気と吸着処理対象の空気が混じりあうことを抑制できる。すなわち、従来のように回転軸廻りに羽根が回転する場合には羽根荷重に抗して複数の羽根を同時に回転させるために大きなトルクを必要とし、このトルクを確保するためにモータの回転速度を遅くして羽根の開閉速度を遅くする必要がある。しかしながら、本実施の形態では、扉体荷重をレール９０７で支えながら扉体９０１を直線運動させるので、扉体９０１の開閉に要する力が少なくなり、モータプーリー９１４の径を大きくして速い速度で扉体を開閉することが実現できる。よって、流路切替え時の湿度制御が安定する。
【００４６】
また、扉体９０１は、その上縁辺に設けたガイドローラ９０４を扉枠体９０３の上部溝部９０５が案内し、扉体９０１の下縁辺に設けた戸車９０６ａが扉枠体９０３の下部溝部９０６の内部に配置したレール９０７の上を走行するので、風圧による横ずれが生じない構造である。
【００４７】
また、第１駆動部１０１により第１スライド扉装置８０１と第３スライド扉装置８０３が連動して開閉し、第２駆動部１０２により第２スライド扉装置８０２と第４スライド扉装置８０４が連動して開閉するので、少ない動力機器、本実施の形態では２つのモータ９１５で構成でき、従来のように、個々のダンパ装置毎にモータを必要とせず、装置構成を簡略化できる。さらに、扉体９０１がスライドすることで、従来の羽根が回転するダンパに比べてスリム化を実現して省スペース化できる。
【００４８】
また、扉体９０１が何れかの閉鎖位置にある状態において、仕切り板９０３ａはスライド方向において扉体９０１の内部側面に設けたパッキン９０３ｂに当接して両者の間を封止し、摺接パッキン９０９が扉体９０１のスライド方向で扉枠体９０３と扉体９０１とに摺接して両者の間を封止し、圧接パッキン９１０が扉体９０１のスライド方向で扉枠体９０３と扉体９０１とに対向して両者の間を封止するので、エアリークを十分に防止して気密性と除湿性と断熱性を高めることができ、除湿性能が向上する。
【００４９】
また、従来のように、複数の羽根で扉を構成する場合には断熱材を配置することが困難であり、各羽根毎に断熱材を配置した場合には断熱材の継ぎ目である不連続部分において熱が漏れることになるが、本実施の形態では扉体９０１が１枚の板状体をなすことで、連続した１枚の断熱材９１１で扉体９０１の全体を覆うことができ、かつ扉体９０１からの熱ロスを削減して断熱性を向上させることができる。
【００５０】
以下、上記した構成における作用を説明する。
（外気収着）
給気ファン６２４は、外気口２からケーシング１に流入する外気ＯＡを、外気経路６を通して室内へ給気する。上流側外気経路６１において、外気ＯＡは予冷コイル６１２を通過し、予冷コイル６１２は外気ＯＡを冷却してその調湿負荷（絶対湿度）を調整する。調湿負荷の調整操作については後述する。
【００５１】
予冷コイル６１２を通過した外気ＯＡは、ここでは第１使用状態にある収脱切替部８０に流入する。第１使用状態において、第１外気接続口９１、第１給気接続口９２、第２還気接続口９７、第２排気接続口９８は開放され、第２外気接続口９５、第２給気接続口９６、第１還気接続口９３、第１排気接続口９４が閉鎖されており、第１デシカントチャンバー８２の第１デシカントブロック８３が外気経路６に接続して収着状態をなすとともに、第２デシカントチャンバー８４の第２デシカントブロック８５が還気経路７に接続して再生状態をなす。
【００５２】
外気ＯＡは第１デシカントチャンバー８２の第１デシカントブロック８３を通過し、第１デシカントブロック８３は外気ＯＡの湿気を収着により除湿する。
第１デシカントチャンバー８２を通過した外気ＯＡは下流側外気経路６２に流入し、冷却コイル６２１が外気ＯＡを冷却（夏期、中間期）して所定温度に調整する。あるいは加熱コイル６２２が外気ＯＡを加熱（冬期）することで外気ＯＡが所定温度に調整する。さらに、必要に応じて気化式加湿器６２３により外気ＯＡに加湿（冬期）する。
【００５３】
調湿、調温された外気は、給気ＳＡとして給気ファン６２４により給気口３から給気路３１に供給される。給気路３１において露点計３１１が給気ＳＡ（外気ＯＡ）の露点温度を測定し、給気温度計３１２が給気ＳＡ（外気ＯＡ）の温度を測定する。
【００５４】
給気温度制御部は、給気温度計３１２で測定した温度に基づいて冷却コイル６２１の電動弁６２５、もしくは加熱コイル６２２の電動弁６２６を調整することで、冷却コイル６２１の冷却能力もしくは加熱コイル６２２の加熱能力を制御して、給気ＳＡ（外気ＯＡ）の温度を設定値に制御する。
【００５５】
また、給気湿度制御部は、露点計３１１で測定した給気ＳＡ（外気ＯＡ）の露点温度に基づいて操作部６２７を調整し、気化式加湿器６２３を制御して、給気ＳＡ（外気ＯＡ）の湿度を設定値に制御する。
【００５６】
さらに、露点計３１１で測定する露点温度が設定露点温度より低い場合には、外気ＯＡの調湿負荷の減少に対して第１デシカントブロック８３の収着能力が過剰であると判断して、予冷コイル６２１の冷却能力を低減させて、第１デシカントブロック８３に流入する前の外気ＯＡの除湿を抑制し、外気ＯＡの調湿負荷の低減に追従させる。
【００５７】
また、露点温度が設定露点温度より高い場合には、外気ＯＡの調湿負荷に対して第１デシカントブロック８３の収着能力が不足していると判断する。この現象は、外気ＯＡの調湿負荷が増加して第１デシカントブロック８３の収着能力が不足する場合と、第１のデシカントブロック８３の収着能力が劣化により外気ＯＡの調湿負荷に対して不足する場合があるが、両者は外気ＯＡの調湿負荷に対して第１デシカントブロック８３の収着能力が不足している点で相違はない。
【００５８】
このため、調湿負荷制御部が、予冷コイル６２１の冷却能力を高めるために、露点温度に基づいて予冷コイル６１２の電動弁６１４を調整することによって予冷コイル６１２の冷却能力を制御して、第１デシカントブロック８３に流入する前に外気ＯＡを予冷コイル６１２で冷却して行なう除湿を強化し、外気ＯＡの調湿負荷（絶対湿度）を軽減する調整を行なう。
（還気再生）
排気ファン７２２は、還気口４からケーシング１に流入する還気ＲＡを、還気経路７を通して屋外へ排気する。上流側還気経路７１において、還気ＲＡは加熱コイル７１１を通過し、再生入口温度計７１３が還気ＲＡの温度を測定し、再生温度制御部が再生入口温度計７１３で測定した還気ＲＡの温度に基づいて電動弁７１２を調整することで、加熱コイル７１１の加熱能力を制御して、還気ＲＡの再生温度を制御する。
【００５９】
加熱コイル７１１を通過した還気ＲＡは、第２デシカントチャンバー８４の第２デシカントブロック８５を通過し、還気ＲＡが第２デシカントブロック８５の湿気を脱着させて第２デシカントブロック８５を再生する。
【００６０】
第２デシカントチャンバー８４を通過した還気ＲＡは下流側還気経路７２に流入し、還気ＲＡが排気ＥＡとして排気ファン７２２により排気口５から外部へ排気される。
（収脱切替）
上述したように、第１デシカントブロック８３の収着能力の劣化の進捗にともなって予冷コイル６１２の冷却能力を徐々に高めて、予冷コイル出口温度をデシカントブロックの収着能力の劣化に相応する温度に制御する。よって、予冷コイル６１２を通過した外気ＯＡの予冷コイル出口温度が第１デシカントブロック８３の収着能力の劣化にともなって低下するので、予冷コイル出口温度が第１デシカントブロック８３の劣化度もしくは収着能力の余力を示す指標となる。
【００６１】
このため、出口温度計６１３で測定する予冷コイル出口温度が設定出口温度に達した時に、収脱切替制御部は第１デシカントブロック８３の収着能力が限界に近づいたと判断し、収脱切替部８０を制御して第１使用状態から第２使用状態へ切り替え、第１デシカントブロック８３を再生状態とし、第２デシカントブロック８５を収着状態とする。
【００６２】
すなわち、出口温度計６１３で測定する予冷コイル出口温度が設定出口温度に達すると、第１外気接続口９１、第１給気接続口９２、第２還気接続口９７、第２排気接続口９８が閉動して閉鎖状態となり、第２外気接続口９５、第２給気接続口９６、第１還気接続口９３、第１排気接続口９４が開動して開放状態となり、第１デシカントチャンバー８２の第１デシカントブロック８３が還気経路７に接続して再生状態をなすとともに、第２デシカントチャンバー８４の第２デシカントブロック８５が外気経路６に接続して収着状態をなす。
【００６３】
このとき、再生状態にあった第２デシカントブロック８５は再生処理が完了している。すなわち、第２デシカントブロック８５（第１デシカントブロック８３）の再生処理に要する所要時間は還気ＲＡの再生温度に因って定まるので、第１デシカントブロック８３（第２デシカントブロック８５）の収着能力が尽きるまでの耐久時間に対して、第２デシカントブロック８５（第１デシカントブロック８３）の再生所要時間が短くなるように、還気ＲＡの再生温度を設定することにより、出口温度計６１３で測定する予冷コイル出口温度が設定出口温度に達するまでに、第２デシカントブロック８５の再生処理を完了させておくことが可能となる。
【００６４】
このように、予冷コイル出口温度を指標として第１デシカントブロック８３、第２デシカントブロック８５の収着能力の劣化や不足を的確に検知でき、第１デシカントブロック８３、第２デシカントブロック８５の収着状態と再生状態を適切なタイミングで切り替えることができ、第１デシカントブロック８３、第２デシカントブロック８５の効率的な使用が実現される。
【符号の説明】
【００６５】
１  ケーシング
２  外気口
３  給気口
４  還気口
５  排気口
６  外気経路
７  還気経路
３１  給気路
６１  上流側外気経路
６２  下流側外気経路
７１  上流側還気経路
７２  下流側還気経路
８０  収脱切替部
８１  仕切板
８２  第１デシカントチャンバー
８３  第１のデシカントブロック
８４  第２デシカントチャンバー
８５  第２のデシカントブロック
９１  第１外気接続口
９２  第１給気接続口
９３  第１還気接続口
９４  第１排気接続口
９５  第２外気接続口
９６  第２給気接続口
９７  第２還気接続口
９８  第２排気接続口
１０１  第１駆動部
１０２  第２駆動部
３１１  露点計
３１２  給気温度計
６１１  プレフィルタ
６１２  予冷（予熱）コイル
６１３  出口温度計
６１４  電動弁
６２１  冷却コイル
６２２  加熱コイル
６２３  気化式加湿器
６２４  給気ファン
６２５  電動弁
６２６  電動弁
６２７  操作部
７１１  加熱コイル
７１２  電動弁
７２１  再生出口温度計
７２２  排気ファン
８０１  第１スライド扉装置
８０２  第２スライド扉装置
８０３  第３スライド扉装置
８０４  第４スライド扉装置
９０１  扉体
９０２  本体フレーム
９０３  扉枠体
９０３ａ  仕切り板
９０３ｂ  パッキン
９０４  ガイドローラ
９０５  上部溝部
９０６  下部溝部
９０６ａ  戸車
９０７  レール
９０８  側部溝部
９０９  摺接パッキン
９１０  圧接パッキン
９１１  断熱材
９１２  索体
９１３  プーリー
９１４  モータプーリー
９１５  モータ
９１６  展張装置
ＯＡ  外気
ＳＡ  給気
ＲＡ  還気
ＥＡ  排気
【図１】
0005933277.tif 000002
【図２】
0005933277.tif 000003
【図３】
0005933277.tif 000004
【図４】
0005933277.tif 000005
【図５】
0005933277.tif 000006
【図６】
0005933277.tif 000007
【図７】
0005933277.tif 000008